(57)【要約】【課題】複数の表示装置に対する表示画像の割り当て及び表示をより効果的に行う。【解決手段】表示制御装置１であって、表示用データＤを記録する互いに独立した複数の表示装置２で構成される複数の表示画面に対して、所定データに基づく表示画像を割り当てて表示させる表示制御部１０４ｄと、表示画像の複数の表示画面に対する割り当て状態を設定する状態設定部１０４ｂと、状態設定部により設定された割り当て状態に基づいて、表示制御部により複数の表示装置の各々に送信され、各表示装置が所定データに基づいて自己の表示画面に表示すべき割り当て画像を決定するための割り当て情報を生成する情報生成部１０４ｃと、を備えている。【選択図】図３
2018097126.tif 000002
【特許請求の範囲】
【請求項１】
所定データを記録する互いに独立した複数の表示装置で構成される複数の表示画面に対して、前記所定データに基づく表示画像を割り当てて表示させる表示制御手段と、
前記所定データに基づく表示画像の前記複数の表示画面に対する割り当て状態を設定する状態設定手段と、
前記状態設定手段により設定された前記割り当て状態に基づいて、前記表示制御手段により前記複数の表示装置の各々に送信され、各表示装置が前記所定データに基づいて自己の表示画面に表示すべき割り当て画像を決定するための割り当て情報を生成する生成手段と、
を備えることを特徴とする表示制御装置。
【請求項２】
前記状態設定手段は、前記所定データに基づく表示画像が前記複数の表示画面に割り当てられて表示中に、前記割り当て状態を逐次設定し、
前記生成手段は、前記状態設定手段により逐次設定される前記割り当て状態に基づいて、前記割り当て情報を逐次生成し、
前記表示制御手段は、前記生成手段により生成された前記割り当て情報を前記複数の表示装置の各々に逐次送信する送信手段を含み、前記送信手段により送信される前記割り当て情報に基づいて、前記所定データに基づく表示画像を割り当てて表示させる
ことを特徴とする請求項１に記載の表示制御装置。
【請求項３】
前記状態設定手段は、前記複数の表示装置の配置状態の変化又は前記複数の表示装置を見るユーザの視点位置の変化が検出されると、前記割り当て状態を変更して設定することを特徴とする請求項１又は２に記載の表示制御装置。
【請求項４】
前記状態設定手段は、前記表示制御手段により前記所定データに基づく一つの所定形状の表示画像が前記複数の表示画面に跨るように分割されて表示される際の当該一つの所定形状の表示画像の分割境界を前記割り当て状態として設定し、
前記生成手段は、前記状態設定手段により設定された前記分割境界を示す情報を前記割り当て情報として生成することを特徴とする請求項１〜３のいずれか一項に記載の表示制御装置。
【請求項５】
前記状態設定手段は、前記表示制御手段により前記所定データに基づく複数の所定形状の表示画像が前記複数の表示画面に割り当てられて表示される際の当該複数の所定形状の表示画像の表示内容を前記割り当て状態として設定し、
前記生成手段は、前記状態設定手段により設定された前記表示内容を示す情報を前記割り当て情報として生成することを特徴とする請求項１〜３のいずれか一項に記載の表示制御装置。
【請求項６】
前記複数の表示装置の配置状態に係る第１情報と、前記複数の表示装置を見るユーザの視点位置に係る第２情報とを取得する取得手段を更に備え、
前記状態設定手段は、前記取得手段により取得された前記第１情報に基づいて、前記分割境界を設定するとともに、前記取得手段により取得された前記第２情報に基づいて、設定済みの前記分割境界を変更し、
前記生成手段は、前記状態設定手段により変更された前記分割境界に基づいて、前記複数の表示装置の各々に表示される分割画像のサイズ及び歪みのうちの少なくとも一方を補正するための補正情報を前記割り当て情報として生成することを特徴とする請求項４に記載の表示制御装置。
【請求項７】
前記取得手段は、ユーザの視点位置から前記複数の表示装置の全体を撮影して全体画像を取得し、取得された前記全体画像内における前記複数の表示装置の各々に対応する画像部分をそれぞれ特定して、前記第１情報及び前記第２情報を取得することを特徴とする請求項６に記載の表示制御装置。
【請求項８】
前記状態設定手段は、前記全体画像内における前記複数の表示装置の各々に対応する画像部分の位置に基づいて、前記分割境界を設定するとともに、前記全体画像内における前記複数の表示装置の各々に対応する画像部分の位置、サイズ及び形状のうち、少なくともいずれか一に基づいて、設定済みの前記分割境界を変更することを特徴とする請求項７に記載の表示制御装置。
【請求項９】
前記生成手段は、前記全体画像内における前記複数の表示装置の各々に対応する画像部分の位置、サイズ及び歪みのうち、少なくともいずれか一に基づいて、前記補正情報を生成することを特徴とする請求項７に記載の表示制御装置。
【請求項１０】
前記取得手段は、予め前記複数の表示装置の前記複数の表示画面に当該表示装置の位置計測に用いられる計測用画像が表示された状態で前記全体画像を撮影して取得することを特徴とする請求項７〜９のいずれか一項に記載の表示制御装置。
【請求項１１】
所定データを記録する互いに独立した複数の表示装置と、表示制御装置とを備える表示制御システムであって、
前記表示制御装置は、
前記複数の表示装置で構成される複数の表示画面に対して、前記所定データに基づく表示画像を割り当てて表示させる表示制御手段と、
前記所定データに基づく表示画像の前記複数の表示画面に対する割り当て状態を設定する状態設定手段と、
前記状態設定手段により設定された前記割り当て状態に基づいて、前記表示制御手段により前記複数の表示装置の各々に送信され、各表示装置が前記所定データに基づいて自己の表示画面に表示すべき表示画像を決定するための割り当て情報をそれぞれ生成する生成手段と、
を備え、
前記複数の表示装置の各々は、
前記表示制御装置から送信された前記割り当て情報を受信して、自己の表示画面に前記割り当て画像を表示する
ことを特徴とする表示制御システム。
【請求項１２】
表示制御装置のコンピュータを、
所定データを記録する互いに独立した複数の表示装置で構成される複数の表示画面に対して、前記所定データに基づく表示画像を割り当てて表示させる表示制御手段、
前記所定データに基づく表示画像の前記複数の表示画面に対する割り当て状態を設定する状態設定手段、
前記状態設定手段により設定された前記割り当て状態に基づいて、前記表示制御手段により前記複数の表示装置の各々に送信され、各表示装置が前記所定データに基づいて自己の表示画面に表示すべき割り当て画像を決定するための割り当て情報を生成する生成手段、
として機能させることを特徴とするプログラム。
【発明の詳細な説明】
【技術分野】
【０００１】
本発明は、表示制御装置、表示制御システム及びプログラムに関する。
【背景技術】
【０００２】
従来、独立した複数の表示装置を自由に並べて一つの大きなディスプレイとして機能させるマルチディスプレイに画像を表示させる画像表示システムが知られている（例えば、特許文献１、２参照）。この画像表示システムでは、一台の表示制御装置が複数の表示装置の位置関係を特定し、特定された位置関係に基づいて各表示装置に表示させるべき画像データの割り当て（分割）を行い、各表示装置に対して割り当てられた画像データを送信して表示させるようになっている。
【先行技術文献】
【特許文献】
【０００３】
【特許文献１】特開２００９−１０９６７１号公報
【特許文献２】特開２００８−２８１７１６号公報
【発明の概要】
【発明が解決しようとする課題】
【０００４】
しかしながら、上記特許文献１、２等では、一台の表示制御装置が全ての表示装置に対する画像データの割り当てと、割り当てられた画像データの送信を行うため、この表示制御装置には非常に高い処理能力が要求され、当該表示制御装置のコストの上昇を招いてしまう。さらに、表示制御装置の性能によっては、解像度の高い画像データなどには対応できない状況が生じる場合もあった。
また、複数の表示装置の位置関係の変化、複数の表示装置に対するユーザの視線の位置の変化、表示対象となるデータの変化等が生じて、表示制御装置が各表示装置に対する画像データの割り当てを変更する場合にも、同様の問題が起こり得る。
【０００５】
本発明は、このような問題に鑑みてなされたものであり、本発明の課題は、複数の表示装置に対する表示画像の割り当て及び表示をより効果的に行うことができる表示制御装置、表示制御システム及びプログラムを提供することである。
【課題を解決するための手段】
【０００６】
上記課題を解決するため、本発明に係る表示制御装置は、
所定データを記録する互いに独立した複数の表示装置で構成される複数の表示画面に対して、前記所定データに基づく表示画像を割り当てて表示させる表示制御手段と、
前記所定データに基づく表示画像の前記複数の表示画面に対する割り当て状態を設定する状態設定手段と、
前記状態設定手段により設定された前記割り当て状態に基づいて、前記表示制御手段により前記複数の表示装置の各々に送信され、各表示装置が前記所定データに基づいて自己の表示画面に表示すべき割り当て画像を決定するための割り当て情報を生成する生成手段と、
を備えることを特徴としている。
【発明の効果】
【０００７】
本発明によれば、複数の表示装置に対する表示画像の割り当て及び表示をより効果的に行うことができる。
【図面の簡単な説明】
【０００８】
【図１】本発明を適用した一実施形態の表示制御システムの概略構成を模式的に示す図である。
【図２】図１の表示制御システムを説明するための斜視図である。
【図３】図１の表示制御システムを構成する表示制御装置の概略構成を示すブロック図である。
【図４】図１の表示制御システムを構成する表示装置の概略構成を示すブロック図である。
【図５】図１の表示制御システムを用いた表示制御処理に係る動作の一例を示すフローチャートである。
【図６】図５の表示制御処理を説明するための図である。
【図７】図５の表示制御処理を説明するための図である。
【発明を実施するための形態】
【０００９】
以下に、本発明について、図面を用いて具体的な態様を説明する。ただし、発明の範囲は、図示例に限定されない。
【００１０】
図１は、本発明を適用した一実施形態の表示制御システム１００の概略構成を模式的に示す図である。また、図２は、表示制御システム１００を説明するための斜視図である。
図１及び図２に示すように、本実施形態の表示制御システム１００は、表示制御装置１と、複数の表示装置２、…（図１等には、９つの表示装置２Ａ〜２Ｉを図示）とを備えている。
【００１１】
ここで、複数の表示装置２、…は、例えば、壁面等にマトリクス状に隣接配置されることで一つの大きなディスプレイとして機能させるマルチディスプレイを構成している。また、これらの複数の表示装置２、…は、ユーザの視点位置（表示制御装置１に対する相対的な位置）の変化によって外形（外周部の輪郭の形状）の見え方が変化する。すなわち、複数の表示装置２、…は、例えば、外形が正面視にて略矩形状をなすように配置されているが（図１等参照）、表示制御装置１を所持するユーザの視点位置によっては、略台形状に見えたり対辺や対角が異なる四辺形状に見えたりする（図２参照）。
【００１２】
＜表示制御装置＞
先ず、表示制御装置１について、図３を参照して説明する。
図３は、表示制御装置１の概略構成を示すブロック図である。
【００１３】
表示制御装置１は、ユーザにより所持されるものであり、例えば、ウェアラブルコンピューターデバイス、特に、頭部装着型コンピューターデバイスが挙げられる（図２参照）。
具体的には、図３に示すように、表示制御装置１は、中央制御部１０１と、メモリ１０２と、撮像部１０３と、動作制御部１０４と、通信制御部１０５と、表示部１０６と、記録部１０７と、操作入力部１０８等を備えている。
また、中央制御部１０１、メモリ１０２、撮像部１０３、動作制御部１０４、通信制御部１０５、表示部１０６、記録部１０７及び操作入力部１０８は、バスライン１０９を介して接続されている。
【００１４】
中央制御部１０１は、表示制御装置１の各部を制御するものである。具体的には、中央制御部１０１は、図示は省略するが、ＣＰＵ（Central Processing Unit）等を備え、表示制御装置１用の各種処理プログラム（図示略）に従って各種の制御動作を行う。
【００１５】
メモリ１０２は、例えば、ＤＲＡＭ（Dynamic Random Access Memory）等により構成され、中央制御部１０１の他、当該表示制御装置１の各部によって処理されるデータ等を一時的に格納する。
【００１６】
撮像部１０３は、被写体である複数の表示装置２、…を連続して撮像して複数のフレーム画像を生成する。具体的には、撮像部１０３は、例えば、レンズ部１０３ａと、電子撮像部１０３ｂと、撮像制御部１０３ｃとを備えている。
【００１７】
レンズ部１０３ａは、例えば、ズームレンズやフォーカスレンズ等の複数のレンズ（図示略）から構成されている。
電子撮像部１０３ｂは、例えば、ＣＣＤ（Charge Coupled Device）やＣＭＯＳ（Complementary Metal-oxide Semiconductor）等のイメージセンサ（図示略）から構成され、レンズ部１０３ａの各種レンズを通過した光学像を二次元の画像信号に変換する。
撮像制御部１０３ｃは、例えば、タイミング発生器やドライバ（図示略）により電子撮像部１０３ｂを走査駆動して、所定周期毎にレンズ部１０３ａにより結像された光学像を電子撮像部１０３ｂにより二次元の画像信号に変換させ、当該電子撮像部１０３ｂの撮像領域から１画面分ずつフレーム画像を読み出してメモリ１０２に出力させる。なお、各フレーム画像は、図示しない画像処理部により逐次処理されて、デジタル値の輝度信号Ｙ及び色差信号Ｃｂ，Ｃｒ（ＹＵＶデータ）に変換される。
【００１８】
動作制御部１０４は、情報取得部１０４ａと、状態設定部１０４ｂと、情報生成部１０４ｃと、表示制御部１０４ｄとを具備している。
なお、動作制御部１０４の各部は、例えば、所定のロジック回路から構成されているが、当該構成は一例であってこれに限られるものではない。
【００１９】
情報取得部（取得手段）１０４ａは、複数の表示装置２、…の配置状態に係る第１情報と、複数の表示装置２、…を見るユーザの視点位置に係る第２情報とを取得する。
すなわち、情報取得部１０４ａは、ユーザの視点位置から撮像部１０３により複数の表示装置２、…の全体が撮影された全体画像を取得し、取得された全体画像内における複数の表示装置２、…の各々に対応する画像部分をそれぞれ特定して、第１情報及び第２情報を取得する。
【００２０】
具体的には、複数の表示装置２、…の各々は、各表示パネル２０５ａに表示装置２の位置計測に用いられる計測用画像（図示略）を同期させて表示する。ここで、例えば、表示パネル２０５ａ（後述；図４参照）のリフレッシュレート（垂直同期周波数）を画素値の変化をユーザが肉眼では認識不可能な所定速度（例えば、６０Ｈｚ以上）とし、各表示画素のＯＮ／ＯＦＦのＤｕｔｙ比等を調整することで、計測用画像をユーザが肉眼では認識不可能な態様で表示してもよい。また、計測用画像は、例えば、表示制御装置１の通信制御部１０５から送信されて記録部２０３（後述；図４参照）に記録されたものであってもよいし、予め記録部２０３に記録されていてもよい。
そして、撮像部１０３が、複数の表示装置２、…の各表示パネル２０５ａを被写体とし、例えば、表示装置２から送信される同期制御信号等を用いて計測用画像の表示タイミングに同期させて撮像し、情報取得部１０４ａは、複数の表示装置２、…の複数の表示画面に計測用画像が表示された状態の全体画像を取得する。また、情報取得部１０４ａは、取得された全体画像内の各計測用画像の位置を各表示装置２に対応する画像部分としてそれぞれ特定し、複数の表示装置２、…の配置状態に係る第１情報を取得する。例えば、全体画像内でマトリクス状に配置された９つの表示装置２、…が特定された場合、情報取得部１０４ａは、上段左、上段中、上段右、中段左、中段中、中段右、下段左、下段中、下段右の順に、各表示装置２を識別するための識別情報「1」〜「9」を対応付けて、これらの識別情報「1」〜「9」の対応付けを表す情報を第１情報として取得する。
なお、上記し全体画像内における各表示装置２に対応する画像部分を特定する手法は、一例であってこれに限られるものではなく、適宜任意に変更可能である。例えば、予め各表示装置２のフレーム部分の色を互いに異ならせておき、フレーム部分の色の違いを基準として、全体画像内における各表示装置２に対応する画像部分を特定してもよい。また、表示制御装置１の通信制御部１０５から複数の表示装置２、…に対して互いに異なる計測用画像を識別情報と対応付けて送信し、全体画像内での互いに異なる計測用画像の位置から全体画像内における各表示装置２に対応する画像部分を特定してもよい。
【００２１】
また、情報取得部１０４ａは、特定された全体画像内における複数の表示装置２、…の各々に対応する画像部分を基準として、複数の表示装置２、…を見るユーザの視点位置に係る第２情報を取得する。すなわち、マトリクス状に配置された９つの表示装置２、…は、全体として外形が正面視にて略矩形状をなすように配置されているが（図１参照）、これらの表示装置２、…に対するユーザの相対的な視点位置によっては、外形の見え方が変化する。例えば、ユーザが９つの表示装置２、…を正面から見上げるような視点位置では、上底に対して下底が長い略台形状の外形となり（図２中、二点鎖線で表す）、また、ユーザが９つの表示装置２、…を斜めから見上げるような視点位置では、対辺や対角が異なる四辺形状の外形となる（図２中、実線で表す）。
そこで、情報取得部１０４ａは、全体画像内にて複数の表示装置２、…の外形が略矩形状をなす位置（正面）を基準として、全体画像内における複数の表示装置２、…の各々に対応する画像部分の位置、サイズ及び形状のうち、少なくともいずれか一に基づいて、例えば、線形変換（例えば、アフィン変換等）等を用いて複数の表示装置２、…を見るユーザの視点位置を推定し、推定されたユーザの視点位置に係る第２情報を取得する。
なお、上記したユーザの視点位置を推定する手法は、一例であってこれに限られるものではなく、適宜任意に変更可能である。例えば、ＧＰＳ（Global Positioning System）等のＧＮＳＳ（Global Navigation Satellite System）を利用して測定され、表示制御装置１や各表示装置２の絶対的な位置からユーザの視点位置を推定してもよい。
【００２２】
状態設定部（状態設定手段）１０４ｂは、表示用データＤ（詳細後述）に基づく表示画像Ｇ（図６（ａ）参照）の複数の表示装置２、…の各々の表示画面に対する割り当て状態を設定する。
すなわち、状態設定部１０４ｂは、表示画像Ｇが複数の表示装置２、…の各々の表示画面に割り当てられて表示中に、当該表示画像Ｇの複数の表示画面に対する割り当て状態を逐次設定する。例えば、複数の表示装置２、…の配置状態の変化又は複数の表示装置２、…を見るユーザの視点位置の変化が検出されると、状態設定部１０４ｂは、割り当て状態を変更して設定する。
【００２３】
具体的には、状態設定部１０４ｂは、表示制御部１０４ｄにより表示用データＤに基づく一つの所定形状（例えば、正方形状等；図６（ａ）参照）の表示画像Ｇが複数の表示装置２、…の各々の表示画面に跨るように分割されて表示される際の当該一つの所定形状の表示画像Ｇの分割境界を割り当て状態として設定する。
例えば、状態設定部１０４ｂは、情報取得部１０４ａにより取得された複数の表示装置２、…の配置状態に係る第１情報に基づいて、表示画像Ｇの分割境界を設定する。すなわち、状態設定部１０４ｂは、全体画像内における複数の表示装置２、…の各々に対応する画像部分の位置に基づいて特定される複数の表示装置２、…の配置状態から、複数の表示装置２、…の各々の表示画面に表示すべき分割画像Ｇａ〜Ｇｉを形成するための表示画像Ｇの分割境界を設定する（図６（ａ）参照；後述）。
また、状態設定部１０４ｂは、情報取得部１０４ａにより取得された複数の表示装置２、…を見るユーザの視点位置に係る第２情報に基づいて、設定済みの表示画像Ｇの分割境界を変更する。すなわち、状態設定部１０４ｂは、情報取得部１０４ａにより取得された全体画像内における複数の表示装置２、…の各々に対応する画像部分の位置、サイズ及び形状のうち、少なくともいずれか一に基づいて推定される複数の表示装置２、…を見るユーザの視点位置から、複数の表示装置２、…の各々の表示画面に表示すべき分割画像Ｇａ〜Ｇｉを変更するための表示画像Ｇの分割境界を変更する（図６（ｂ）及び図７（ａ）参照；後述）。
【００２４】
情報生成部（生成手段）１０４ｃは、複数の表示装置２、…の各々の自己の表示画面に表示すべき割り当て画像を決定するための割り当て情報を生成する。
すなわち、情報生成部１０４ｃは、状態設定部１０４ｂにより設定された割り当て状態に基づいて、通信制御部１０５により複数の表示装置２、…の各々に送信され、各表示装置２が表示用データＤに基づいて自己の表示画面に表示すべき割り当て画像（例えば、分割画像Ｇａ〜Ｇｉ）を決定するための割り当て情報を生成する。例えば、情報生成部１０４ｃは、状態設定部１０４ｂにより割り当て状態として設定された表示画像Ｇの分割境界を示す情報を割り当て情報として生成する。
また、情報生成部１０４ｃは、状態設定部１０４ｂにより逐次設定される割り当て状態に基づいて、割り当て情報を逐次生成する。具体的には、情報生成部１０４ｃは、複数の表示装置２、…を見るユーザの視点位置が変化することで状態設定部１０４ｂにより変更された表示画像Ｇの分割境界Ｂ（図７（ｂ）参照；後述）に基づいて、複数の表示装置２、…の各々に表示される分割画像Ｇａ〜Ｇｉのサイズや歪みを補正するための補正情報を割り当て情報として生成する。より具体的には、情報生成部１０４ｃは、情報取得部１０４ａにより取得された全体画像内における複数の表示装置２、…の各々に対応する画像部分の位置、サイズ及び歪みのうち、少なくともいずれか一に基づいて、例えば、線形変換（例えば、アフィン変換等）等を用いて補正情報を生成する（図７（ｂ）参照；後述）。
なお、割り当て情報は、各表示装置２ごとに個別の内容のものであってもよいし、全ての表示装置２に共通する内容とし、各表示装置２の位置に応じた制御指示を含むようなものであってもよい。
【００２５】
ここで、状態設定部１０４ｂによる割り当て状態の設定及び変更、情報生成部１０４ｃによる表示画像Ｇの割り当て及び分割画像Ｇａ〜Ｇｉの補正の一例について、図６（ａ）〜図７（ｂ）を参照して詳細に説明する。
ここで、複数の表示装置２、…に対するユーザの相対的な視点位置は、図６（ａ）では複数の表示装置２、…の外形が略矩形状をなす位置（正面）であって、図６（ｂ）〜図７（ｂ）ではユーザが複数の表示装置２、…を正面から見上げるような視点位置である。
【００２６】
図６（ａ）に示すように、マトリクス状に配置された９つの表示装置２、…に対して表示画像Ｇを表示する場合、状態設定部１０４ｂは、これらの表示装置２、…の配置状態から、各表示装置２の表示画面に表示すべき分割画像Ｇａ〜Ｇｉを形成するための正方形状の表示画像Ｇの分割境界を割り当て状態として設定する。なお、表示画像Ｇの分割境界を設定する手法は、公知の技術であり、ここでは詳細な説明は省略する。
例えば、上段左の表示装置２Ａに対しては、表示パネル２０５ａの向かって右側部の領域であって、下端から上端の僅かに下側までの領域に分割画像Ｇａが表示されるような分割境界が設定され、上段中の表示装置２Ｂに対しては、表示パネル２０５ａの下端から上端の僅かに下側までの領域に分割画像Ｇｂが表示されるような分割境界が設定され、上段右の表示装置２Ｃに対しては、表示パネル２０５ａの向かって左側部の領域であって、下端から上端の僅かに下側までの領域に分割画像Ｇａが表示されるような分割境界が設定される。また、中段左の表示装置２Ｄに対しては、表示パネル２０５ａの向かって右側部の領域であって、下端から上端までの領域に分割画像Ｇｄが表示されるような分割境界が設定され、中段中の表示装置２Ｅに対しては、表示パネル２０５ａの全域に分割画像Ｇｅが表示されるような分割境界が設定され、中段右の表示装置２Ｆに対しては、表示パネル２０５ａの向かって左側部の領域であって、下端から上端までの領域に分割画像Ｇｆが表示されるような分割境界が設定される。また、下段左の表示装置２Ｇに対しては、表示パネル２０５ａの向かって右側部の領域であって、上端から下端の僅かに上側までの領域に分割画像Ｇｇが表示されるような分割境界が設定され、下段中の表示装置２Ｈに対しては、表示パネル２０５ａの上端から下端の僅かに上側までの領域に分割画像Ｇｈが表示されるような分割境界が設定され、下段右の表示装置２Ｉに対しては、表示パネル２０５ａの向かって左側部の領域であって、上端から下端の僅かに上側までの領域に分割画像Ｇｉが表示されるような分割境界が設定される。
そして、情報生成部１０４ｃは、状態設定部１０４ｂにより割り当て状態として設定された表示画像Ｇの分割境界を示す情報を、各表示装置２が自己の表示画面に表示すべき分割画像Ｇａ〜Ｇｉを決定するための割り当て情報として生成する。
【００２７】
図６（ｂ）に示すように、複数の表示装置２、…に対するユーザの相対的な視点位置が変化して、ユーザが複数の表示装置２、…を正面から見上げるような視点位置となると、正面視にて外形が略矩形状の複数の表示装置２、…及び正方形状の表示画像Ｇは、上底に対して下底が長い略台形状の外形となる。
すると、図７（ａ）に示すように、状態設定部１０４ｂは、情報取得部１０４ａにより取得された全体画像内における複数の表示装置２、…に対応する画像部分の中で、例えば、最大の面積となる矩形を表示可能領域Ａとして特定する。具体的には、状態設定部１０４ｂは、上段の３つの表示装置２Ａ、２Ｂ、２Ｃの各表示パネル２０５ａの上辺どうしを結んだ線分と、この線分の左右の両端点の各々から下段左および下段右の表示装置２Ｇ、２Ｉの各表示パネル２０５ａの下辺に下ろした二つの垂線と、二つの垂線の上辺とは反対側の下端点どうしを結んだ線分とからなる矩形を表示可能領域Ａとして特定する。そして、状態設定部１０４ｂは、特定された表示可能領域Ａに正方形状の表示画像Ｇが表示されるように、各表示装置２の表示画面に表示すべき分割画像Ｇａ〜Ｇｉを変更するための表示画像Ｇの分割境界を変更する（図７（ａ）参照）。図７（ａ）には、正方形状の表示画像Ｇの変更された分割境界Ｂを実線で模式的に表している。
そして、情報生成部１０４ｃは、状態設定部１０４ｂにより変更された表示画像Ｇの分割境界Ｂと、情報取得部１０４ａにより取得された全体画像内における各表示装置２に対応する画像部分の位置やサイズや歪みに基づいて、各表示装置２に表示される分割画像Ｇａ〜Ｇｉに対して線形変換（例えば、アフィン変換等）を行って、当該線形変換のパラメータを分割画像Ｇａ〜Ｇｉのサイズや歪みを補正するための補正情報（割り当て情報）として生成する（図７（ｂ）参照）。すなわち、例えば、ユーザが複数の表示装置２、…を正面から見上げるような視点位置となって、正面視にて外形が正方形状の表示画像Ｇが上底に対して下底が長い略台形状の外形となった場合（図６（ｂ）参照）、下底に対して上底が長い略台形状の外形の表示画像Ｇとなるように、分割画像Ｇａ〜Ｇｉのサイズや歪みが補正される。これにより、複数の表示装置２、…に対するユーザの相対的な視点位置が変化しても、ユーザからは外形が正方形状の表示画像Ｇを視認可能となる。
なお、図７（ｂ）には、線形変換後（補正後）の分割画像Ｇａ〜Ｇｉ（表示画像Ｇ）が模式的に表されている。
【００２８】
表示制御部（表示制御手段）１０４ｄは、互いに独立した複数の表示装置２、…で構成される複数の表示画面に対して、表示用データＤに基づく表示画像Ｇを割り当てて表示させる。
すなわち、表示制御部１０４ｄは、情報生成部１０４ｃにより生成された割り当て情報を通信制御部１０５により複数の表示装置２、…の各々に逐次送信する。具体的には、表示制御部１０４ｄは、情報生成部１０４ｃにより生成された分割境界を示す情報や補正情報を割り当て情報として対応する表示装置２に対して通信制御部１０５により送信する。これにより、各表示装置２では、分割境界を示す情報や補正情報に基づいて、表示部２０５に分割画像Ｇａ〜Ｇｉ（図６（ａ）参照）や補正後の分割画像Ｇａ〜Ｇｉ（図７（ｂ）参照）が表示される（詳細後述）。
このように、表示制御部１０４ｄは、情報生成部１０４ｃにより生成された割り当て情報を複数の表示装置２、…の各々に送信する通信制御部（送信手段）１０５を含み、通信制御部１０５により送信される割り当て情報に基づいて、表示用データＤに基づく表示画像Ｇを割り当てて表示させる。
【００２９】
通信制御部１０５は、複数の表示装置２、…との間で情報通信を行う。
すなわち、通信制御部１０５は、例えば、無線ＬＡＮ（Local Area Network）モジュール等を有し、外部のアクセスポイント（固定基地局）を経由せずに直接表示装置２の通信制御部２０４との間で無線通信回線を構築するPeer to Peer（アドホックモード）で動作する。例えば、通信制御部１０５は、無線通信回線の通信方式、暗号化情報、チャンネル、ＩＰアドレス等の各種情報を無線通信可能範囲内に存する各表示装置２の通信制御部２０４に送信して、この表示装置２の通信制御部２０４との間で無線ＬＡＮ等の無線通信回線を構築して信号の送受信を行う。
【００３０】
なお、通信制御部１０５は、例えば、無線通信可能範囲内に存するアクセスポイントとの間で無線通信回線を構築して、当該無線通信回線を介して各表示装置２の通信制御部２０４との間で信号の送受信を行うインフラストラクチャモードで動作してもよい。
【００３１】
表示部１０６は、例えば、液晶表示パネルや有機ＥＬ（Electro-Luminescence）表示パネル等の表示パネル１０６ａを具備し、その表示領域に画像を表示する。
すなわち、表示部１０６は、例えば、静止画像や動画像の撮影モードにて、撮像部１０３による被写体の撮像により生成された複数のフレーム画像を所定の再生フレームレートで逐次更新しながらライブビュー画像を表示パネル１０６ａの表示画面に表示する。
【００３２】
記録部１０７は、例えば、ＳＳＤ（Solid State Drive）等から構成され、撮像部１０３により撮像されて画像処理部（図示略）により所定の圧縮形式（例えば、ＭＰＥＧ形式やＪＰＥＧ形式等）で符号化された画像の画像データを記録する。
具体的には、記録部１０７は、例えば、複数の表示装置２、…に周期的に切り換えて表示される表示画像Ｇの表示タイミングに同期させて撮像部１０３により撮像された複数枚のフレーム画像がＭＰＥＧ形式で符号化された動画像の画像データを記録したり、同様に、一枚のフレーム画像がＪＰＥＧ形式で符号化された静止画像の画像データを記録したりする。
【００３３】
なお、記録部１０７は、例えば、記録媒体（図示略）が着脱自在に構成され、装着された記録媒体からのデータの読み出しや記録媒体に対するデータの書き込みを制御する構成であってもよい。
【００３４】
操作入力部１０８は、当該表示制御装置１の所定操作を行うためのものである。具体的には、操作入力部１０８は、被写体の撮像指示に係るシャッタボタン、撮像モードや機能等の選択指示に係る選択決定ボタン、ズーム量の調整指示に係るズームボタン等（いずれも図示略）を備えている。
そして、ユーザにより各種ボタンが操作されると、操作入力部１０８は、操作されたボタンに応じた操作指示を中央制御部１０１に出力する。中央制御部１０１は、操作入力部１０８から出力され入力された操作指示に従って所定の動作（例えば、被写体の撮像）を各部に実行させる。
【００３５】
＜表示装置＞
次に、複数の表示装置２、…について、図４を参照して説明する。
複数の表示装置２、…は、例えば、形状及びサイズが略等しい液晶ディスプレイや有機ＥＬディスプレイ等から構成されているが、必ずしも全ての表示装置２が同一である必要はない。
また、複数の表示装置２、…は、互いに独立したものであるが、構成及び動作は略同様であるため、以下に、代表して表示装置２Ａを例示して説明する。
【００３６】
図４は、表示装置２Ａの概略構成を示すブロック図である。
図４に示すように、表示装置２Ａは、具体的には、中央制御部２０１と、メモリ２０２と、記録部２０３と、通信制御部２０４と、表示部２０５と、操作入力部２０６等を備えている。
また、中央制御部２０１、メモリ２０２、記録部２０３、通信制御部２０４、表示部２０５及び操作入力部２０６は、バスライン２０７を介して接続されている。
【００３７】
中央制御部２０１は、表示装置２Ａの各部を制御するものである。具体的には、中央制御部２０１は、図示は省略するが、ＣＰＵ等を備え、表示装置２Ａ用の各種処理プログラム（図示略）に従って各種の制御動作を行う。
【００３８】
メモリ２０２は、例えば、ＤＲＡＭ等により構成され、中央制御部２０１等によって処理されるデータ等を一時的に格納する。
【００３９】
記録部２０３は、例えば、ＳＳＤ等から構成され、表示用データＤを記録する。
ここで、表示用データＤは、表示画像Ｇを表示させるための所定データである。すなわち、各表示装置２は、表示画像Ｇのうちの割り当てられた部分のデータを記録部２０３に記録しているのではなく、表示画像Ｇ全体を表示可能な表示用データＤを記録している。
また、表示用データＤは、例えば、外部の撮像装置（図示略）により撮影された後、各表示装置２に転送されて記録部２０３に記録されたものであるが、一例であってこれに限られるものではなく、適宜任意に変更可能である。
【００４０】
なお、記録部２０３は、例えば、記録媒体（図示略）が着脱自在に構成され、装着された記録媒体からのデータの読み出しや記録媒体に対するデータの書き込みを制御する構成であってもよい。
【００４１】
通信制御部２０４は、表示制御装置１との間で情報通信を行う。
すなわち、通信制御部２０４は、例えば、表示制御装置１の通信制御部１０５と略同様に、無線ＬＡＮモジュール等を有し、Peer to Peer（アドホックモード）やインフラストラクチャモードで動作する。
具体的には、通信制御部２０４は、表示制御装置１の通信制御部１０５から送信された割り当て情報を受信する。なお、通信制御部２０４により受信された割り当て情報は、メモリ２０２に出力されて当該メモリ２０２に一時的に格納される。
【００４２】
表示部２０５は、例えば、液晶表示パネルや有機ＥＬ表示パネル等の表示パネル２０５ａを具備し、その表示領域に画像を表示する。
すなわち、表示部２０５は、記録部２０３から読み出されて図示しない画像処理部により復号された表示用データＤに基づいて、自己の表示パネル２０５ａの表示画面に割り当て画像を表示する。具体的には、表示制御装置１の通信制御部１０５から送信されて通信制御部２０４により割り当て情報（例えば、分割境界を示す情報や補正情報）が受信されると、表示部２０５は、受信された分割境界を示す情報に基づいて、自己の表示パネル２０５ａの表示画面に表示すべき分割画像Ｇａを切り出して表示し（図６（ａ）参照）、また、受信された変更後の分割境界を示す情報及び補正情報に基づいて、自己の表示パネル２０５ａの表示画面に表示される分割画像Ｇａのサイズや歪みを補正して表示する（図７（ｂ）参照）。
【００４３】
また、表示部２０５は、表示パネル２０５ａのリフレッシュレートが画素値の変化を肉眼では認識不可能な所定速度（例えば、６０Ｈｚ以上）であり、例えば、各表示画素のＯＮ／ＯＦＦのＤｕｔｙ比等を調整して、ユーザが肉眼では認識不可能な態様で計測用画像を表示する。このとき、表示部２０５は、表示パネル２０５ａの各表示画素ごとに画素値を周期的に切り換え、分割画像Ｇａと計測用画像とを切り換え表示してもよい。
【００４４】
操作入力部２０６は、当該表示装置２Ａの所定操作を行うためのものである。具体的には、操作入力部２０６は、電源のＯＮ／ＯＦＦ操作に係る電源ボタン、各種のモードや機能等の選択指示に係るボタン等（いずれも図示略）を備えている。
そして、ユーザにより各種ボタンが操作されると、操作入力部２０６は、操作されたボタンに応じた操作指示を中央制御部２０１に出力する。中央制御部２０１は、操作入力部２０６から出力され入力された操作指示に従って所定の動作を各部に実行させる。
【００４５】
＜表示制御処理＞
次に、表示制御システム１００を用いた表示制御処理について、図５を参照して説明する。
図５は、表示制御処理に係る動作の一例を示すフローチャートである。なお、以下に説明する表示制御処理では、各表示装置２は、予め表示用データＤ及び計測用画像を記録しているものとする。
【００４６】
図５に示すように、表示制御装置１では、先ず、ユーザによる操作入力部１０８の所定操作に基づいて、通信制御部１０５は、複数の表示装置２、…を一つの大きなディスプレイとして機能させるマルチディスプレイモードの開始指示を各表示装置２の通信制御部２０４に送信する（ステップＳ１）。
各表示装置２では、表示制御装置１から送信されたマルチディスプレイモードの開始指示が通信制御部２０４により受信されると、表示部２０５は、例えば、各表示画素のＯＮ／ＯＦＦのＤｕｔｙ比等を調整し、ユーザが肉眼では認識不可能な態様で計測用画像を表示パネル２０５ａに表示する（ステップＳ２）。
【００４７】
そして、表示制御装置１では、撮像部１０３が、複数の表示装置２、…の各表示パネル２０５ａを被写体とし、計測用画像の表示タイミングに同期させて撮像し、情報取得部１０４ａは、複数の表示装置２、…の複数の表示画面に計測用画像が表示された状態の全体画像を取得する（ステップＳ３）。
次に、情報取得部１０４ａは、取得された全体画像内の各計測用画像の位置を各表示装置２に対応する画像部分としてそれぞれ特定し、複数の表示装置２、…の配置状態に係る第１情報を取得するとともに、特定された全体画像内における各表示装置２に対応する画像部分を基準として、複数の表示装置２、…を見るユーザの視点位置に係る第２情報を取得する（ステップＳ４）。
【００４８】
続けて、状態設定部１０４ｂは、複数の表示装置２、…を見るユーザの視点位置の変化が生じたか否かを判定する（ステップＳ５）。
ここで、ユーザの視点位置の変化が生じていないと判定されると（ステップＳ５；ＮＯ）、状態設定部１０４ｂは、複数の表示装置２、…の配置状態の変化が生じたか否かを判定する（ステップＳ６）。
そして、複数の表示装置２、…の配置状態の変化が生じていないと判定されると（ステップＳ６；ＮＯ）、状態設定部１０４ｂは、全体画像内における複数の表示装置２、…の各々に対応する画像部分の位置に基づいて特定される複数の表示装置２、…の配置状態（第１情報）から、複数の表示装置２、…の各々の表示画面に表示すべき分割画像Ｇａ〜Ｇｉを形成するための表示画像Ｇの分割境界を設定する（ステップＳ７）。
そして、情報生成部１０４ｃは、状態設定部１０４ｂにより設定された表示画像Ｇの分割境界を示す情報を生成し、表示制御部１０４ｄ、生成された分割境界を示す情報を対応する表示装置２に対して通信制御部１０５により送信する（ステップＳ８）。
【００４９】
各表示装置２では、表示制御装置１から送信された分割境界を示す情報が通信制御部２０４により受信されると、表示部２０５は、受信された分割境界を示す情報に基づいて、自己の表示パネル２０５ａの表示画面に表示すべき分割画像Ｇａ〜Ｇｉを切り出して表示する（ステップＳ９）。このとき、表示部２０５は、表示パネル２０５ａの各表示画素ごとに画素値を周期的に切り換え、分割画像Ｇａ〜Ｇｉと計測用画像とを切り換え表示してもよい。
【００５０】
その後、表示制御装置１では、中央制御部１０１のＣＰＵは、ユーザによる操作入力部１０８の所定操作に基づいてマルチディスプレイモードの終了指示が入力されたか否かを判定する（ステップＳ１０）。
ここで、マルチディスプレイモードの終了指示が入力されていないと判定されると（ステップＳ１０；ＮＯ）、中央制御部１０１のＣＰＵは、処理をステップＳ３に戻す。そして、上記と略同様にして、ステップＳ３〜Ｓ５の各処理が行われ、ステップＳ５にて、複数の表示装置２、…を見るユーザの視点位置の変化が生じたと判定されると（ステップＳ５；ＹＥＳ）、状態設定部１０４ｂは、全体画像内における複数の表示装置２、…の各々に対応する画像部分の位置やサイズや形状等に基づいて推定される複数の表示装置２、…を見るユーザの視点位置（第２情報）から、複数の表示装置２、…の各々の表示画面に表示すべき分割画像Ｇａ〜Ｇｉを変更するための表示画像Ｇの分割境界を変更する（ステップＳ１１）。また、ステップＳ５にて、複数の表示装置２、…を見るユーザの視点位置の変化が生じていないと判定された後（ステップＳ５；ＮＯ）、ステップＳ６にて、複数の表示装置２、…の配置状態の変化が生じたと判定された場合（ステップＳ６；ＹＥＳ）にも、中央制御部１０１のＣＰＵは、処理をステップＳ１１に移行し、状態設定部１０４ｂは、上記と同様に、複数の表示装置２、…の各々の表示画面に表示すべき分割画像Ｇａ〜Ｇｉを変更するための表示画像Ｇの分割境界を変更する（ステップＳ１１）。
そして、情報生成部１０４ｃは、状態設定部１０４ｂにより変更された表示画像Ｇの分割境界Ｂに基づいて、複数の表示装置２、…の各々に表示される分割画像Ｇａ〜Ｇｉのサイズや歪みを補正するための補正情報を生成し、表示制御部１０４ｄは、生成された補正情報を変更後の分割境界Ｂを示す情報とともに対応する表示装置２に対して通信制御部１０５により送信する（ステップＳ１２）。
【００５１】
各表示装置２では、表示制御装置１から送信された補正情報及び変更後の分割境界を示す情報が通信制御部２０４により受信されると、表示部２０５は、ステップＳ９にて、受信された変更後の分割境界を示す情報に基づいて、自己の表示パネル２０５ａの表示画面に表示すべき分割画像Ｇａ〜Ｇｉを切り出して表示し、続けて、受信された補正情報に基づいて、自己の表示パネル２０５ａの表示画面に表示される分割画像Ｇａ〜Ｇｉのサイズや歪みを補正して表示する（ステップＳ１３）。このとき、表示部２０５は、表示パネル２０５ａの各表示画素ごとに画素値を周期的に切り換え、補正後の分割画像Ｇａ〜Ｇｉと計測用画像とを切り換え表示してもよい。
【００５２】
その後、表示制御装置１では、中央制御部１０１のＣＰＵは、処理をステップＳ１０に移行し、上記と略同様に、マルチディスプレイモードの終了指示が入力されたか否かを判定する（ステップＳ１０）。
ここで、マルチディスプレイモードの終了指示が入力されたと判定されると（ステップＳ１０；ＹＥＳ）、通信制御部１０５は、マルチディスプレイモードの終了指示を各表示装置２の通信制御部２０４に送信する（ステップＳ１４）。
【００５３】
各表示装置２では、表示制御装置１から送信されたマルチディスプレイモードの終了指示が通信制御部２０４により受信されると、表示部２０５は、分割画像Ｇａ〜Ｇｉの表示を終了する（ステップＳ１５）。
これにより、表示制御処理を終了する。
【００５４】
以上のように、本実施形態の表示制御システム１００によれば、表示用データＤを記録する互いに独立した複数の表示装置２、…で構成される複数の表示画面に対して、表示用データＤに基づく表示画像Ｇを割り当てて表示させる表示制御装置１が、表示画像Ｇの複数の表示画面に対する割り当て状態を設定し、設定された割り当て状態に基づいて、複数の表示装置２、…の各々に送信され、各表示装置２が表示用データＤに基づいて自己の表示画面に表示すべき割り当て画像（例えば、分割画像Ｇａ〜Ｇｉ）を決定するための割り当て情報を生成するので、各表示装置２では、表示制御装置１により生成された割り当て情報に基づいて自己の表示画面に表示すべき割り当て画像を決定するだけでよくなる。すなわち、表示用データＤを表示制御装置１だけが保持するのではなく、複数の表示装置２、…の各々が保持するので、仮に表示画像Ｇの複数の表示画面に対する割り当て状態が変更された場合に、表示制御装置１は、割り当てられた画像のデータを各表示装置２に送信する必要がなく、割り当て情報だけを送信すればよいため、送信されるデータ量を少なくすることができる。
したがって、表示制御装置１に高い処理能力が不要となり、複数の表示装置２、…に対する表示画像Ｇの割り当て及び表示をより低コストで効果的に行うことができる。
【００５５】
また、表示用データＤに基づく表示画像Ｇが複数の表示装置２、…の各々の表示画面に割り当てられて表示中に、表示画像Ｇの複数の表示画面に対する割り当て状態を逐次設定し、逐次設定される割り当て状態に基づいて、自己の表示画面に表示すべき割り当て画像（例えば、分割画像Ｇａ〜Ｇｉ）を決定するための割り当て情報を逐次生成し、生成された割り当て情報を複数の表示装置２、…の各々に逐次送信するので、各表示装置２では、表示制御装置１により生成された割り当て情報に基づいて自己の表示画面に表示すべき割り当て画像を逐次決定し、表示することができる。特に、例えば、複数の表示装置２、…の配置状態の変化又は複数の表示装置２、…を見るユーザの視点位置の変化が検出された場合に、割り当て状態を変更しても、変更後の割り当て状態に基づいて、割り当て情報を新たに生成し、生成された割り当て情報を複数の表示装置２、…の各々に送信することで、各表示装置２では、表示制御装置１により新たに生成された割り当て情報に基づいて自己の表示画面に表示すべき割り当て画像を適正に決定して表示することができる。
【００５６】
また、表示用データＤに基づく一つの所定形状の表示画像Ｇが複数の表示装置２、…の各々の表示画面に跨るように分割されて表示される際の当該一つの所定形状の表示画像Ｇの分割境界を割り当て状態として設定し、設定された分割境界を示す情報を割り当て情報として生成するので、表示用データＤに基づく一つの所定形状の表示画像Ｇが複数の表示画面に跨るような分割表示を行う際に、表示制御装置１に高い処理能力が不要となり、複数の表示装置２、…に対する表示画像Ｇの割り当て及び表示をより低コストで効果的に行うことができる。
具体的には、ユーザの視点位置から複数の表示装置２、…の全体を撮影して全体画像を取得し、取得された全体画像内における複数の表示装置２、…の各々に対応する画像部分をそれぞれ特定して、複数の表示装置２、…の配置状態に係る第１情報及び複数の表示装置２、…を見るユーザの視点位置に係る第２情報を取得することができる。このとき、予め複数の表示装置２、…の複数の表示画面に当該表示装置２の位置計測に用いられる計測用画像が表示された状態で撮影された全体画像を取得することで、全体画像内における複数の表示装置２、…の各々に対応する画像部分の特定や、第１情報及び第２情報の取得を適正に行うことができる。
そして、第１情報に基づいて、複数の表示装置２、…の配置状態を考慮して表示画像Ｇの分割境界を設定することができるとともに、第２情報に基づいて、複数の表示装置２、…を見るユーザの視点位置を考慮して設定済みの表示画像Ｇの分割境界を適正に変更することができる。より具体的には、全体画像内における複数の表示装置２、…の各々に対応する画像部分の位置に基づいて、表示画像Ｇの分割境界を適正に設定することができるとともに、全体画像内における複数の表示装置２、…の各々に対応する画像部分の位置やサイズや形状等に基づいて、設定済みの表示画像Ｇの分割境界を適正に変更することができる。
さらに、例えば、複数の表示装置２、…を見るユーザの視点位置が変化した場合等に、変更された表示画像Ｇの分割境界Ｂに基づいて、複数の表示装置２、…の各々に表示される分割画像Ｇａ〜Ｇｉのサイズや歪み等を補正するための補正情報を割り当て情報として生成することができる。より具体的には、全体画像内における複数の表示装置２、…の各々に対応する画像部分の位置やサイズや歪み等に基づいて、補正情報を適正に生成することがきる。
【００５７】
なお、本発明は、上記実施形態に限定されることなく、本発明の趣旨を逸脱しない範囲において、種々の改良並びに設計の変更を行ってもよい。
例えば、上記した表示用データＤに基づく表示画像Ｇは、一例であってこれに限られるものではなく、形状や内容等は適宜任意に変更可能である。例えば、複数の表示装置２、…は、グラフ表示するための数値データを記録しておき、表示制御装置１からの指示にしたがって、グラフの種類の変更や解析対象の数値データの範囲の変更等を行って、変更後の内容でグラフを表示してもよい。
すなわち、状態設定部１０４ｂは、表示制御部１０４ｄにより数値データ（所定データ）に基づく複数の所定形状の表示画像（例えば、棒グラフや円グラフ等）が複数の表示画面に割り当てられて表示される際の当該複数の所定形状の表示画像の表示内容（例えば、グラフの種類や解析対象の数値データの範囲の変更に伴うグラフの変更等）を割り当て状態として設定し、情報生成部１０４ｃは、状態設定部１０４ｂにより設定された表示内容を示す情報を割り当て情報として生成してもよい。
このような構成としても、上記実施形態と略同様に、数値データに基づく複数の所定形状の表示画像を複数の表示画面に割り当て表示する際に、表示制御装置１に高い処理能力が不要となり、複数の表示装置２、…に対する表示画像Ｇの割り当て及び表示をより低コストで効果的に行うことができる。
【００５８】
さらに、上記実施形態では、表示用データＤに基づく表示画像Ｇが複数の表示装置２、…の各々の表示画面に割り当てられて表示中に、割り当て状態を逐次設定（変更も含む）し、逐次設定される割り当て状態に基づいて、割り当て情報を逐次生成するようにしたが、例えば、割り当て状態の設定及び割り当て情報の生成は、一定の時間間隔で定期的に行ってもよいし、表示制御装置１が所定位置に固定されているなど複数の表示装置２、…を見るユーザの視点位置が変化しないことが明らかな場合には、最初に割り当て状態の設定及び割り当て情報の生成を一回行う構成としてもよい。
【００５９】
また、上記実施形態では、複数の表示装置２、…として、壁面等に配設された移動不可の状態のものを例示したが、一例であってこれに限られるものではなく、移動可能な構成の表示装置であってもよい。例えば、卓上等に配設された複数のタブレット（表示装置；図示略）を用いて、これらのタブレットの配置状態が変化した場合に、表示制御装置１が、各タブレットが所定データに基づいて自己の表示画面に表示すべき割り当て画像を決定するための割り当て情報を変更して設定するようにしてもよい。
さらに、上記実施形態では、複数の表示装置２、…が隙間無く格子状に並べられた場合を想定したが、複数の表示装置２、…の配置は一例であってこれに限られるものではなく、例えば、複数の表示装置２、…の間に隙間があったり、縦横の位置がずれていたり、斜めに配置されていてもよい。
また、上記実施形態では、各表示装置２が画面全体に計測用画像を表示するようにしたが、例えば、画面全体ではなく、４隅に識別用のマークを表示するようにしてもよい。さらに、計測用画像を表示しなくとも、表示用データに基づく表示画像により表示装置２の位置を認識したり、表示装置２の外縁部の色や形状によって表示装置２の位置を認識したりするようにしてもよい。
【００６０】
また、上記実施形態では、複数の表示装置２、…が、例えば、ＧＮＳＳを利用してユーザの相対的な視点位置や距離を推定し、推定されたユーザの視点位置や距離を基準として、表示画像Ｇの複数の表示画面に対する割り当て状態を設定し、設定された割り当て状態に基づいて、各表示装置２が表示用データＤに基づいて自己の表示画面に表示すべき割り当て画像（例えば、分割画像Ｇａ〜Ｇｉ）を決定するようにしてもよい。
【００６１】
さらに、表示制御システム１００、表示制御装置１、各表示装置２の構成は、上記実施形態に例示したものは一例であり、これに限られるものではない。
例えば、表示制御装置１として、ウェアラブルコンピューターデバイスを例示したが、ユーザにより所持されるものであれば如何なるものであってもよく、デジタルカメラ、スマートフォン、タブレット等であってもよい。
また、各表示装置２は、表示用データＤを予め記録するようにしたが、例えば、表示制御装置１以外の外部装置から表示用データＤが逐次入力される構成としてもよい。
【００６２】
くわえて、上記実施形態では、表示制御手段、状態設定手段、生成手段としての機能を、中央制御部１０１の制御下にて、表示制御部１０４ｄ、状態設定部１０４ｂ、情報生成部１０４ｃが駆動することにより実現される構成としたが、これに限られるものではなく、中央制御部１０１のＣＰＵによって所定のプログラム等が実行されることにより実現される構成としてもよい。
すなわち、プログラムメモリ（図示略）に、表示制御処理ルーチン、状態設定処理ルーチン、生成処理ルーチンを含むプログラムを記録しておく。そして、表示制御処理ルーチンにより中央制御部１０１のＣＰＵに、所定データを記録する互いに独立した複数の表示装置２、…で構成される複数の表示画面に対して、所定データに基づく表示画像Ｇを割り当てて表示させる機能を実現させるようにしてもよい。また、状態設定処理ルーチンにより中央制御部１０１のＣＰＵに、所定データに基づく表示画像Ｇの複数の表示画面に対する割り当て状態を設定する機能を実現させるようにしてもよい。また、生成処理ルーチンにより中央制御部１０１のＣＰＵに、状態設定処理ルーチンにより設定された割り当て状態に基づいて、表示制御処理ルーチンにより複数の表示装置２、…の各々に送信され、各表示装置２が所定データに基づいて自己の表示画面に表示すべき割り当て画像を決定するための割り当て情報を生成する機能を実現させるようにしてもよい。
【００６３】
同様に、送信手段、取得手段についても、中央制御部１０１のＣＰＵによって所定のプログラム等が実行されることにより実現される構成としても良い。
【００６４】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定データを記録する互いに独立した複数の表示装置で構成される複数の表示画面に対して、前記所定データに基づく表示画像を割り当てて表示させる表示制御手段と、
前記所定データに基づく表示画像の前記複数の表示画面に対する割り当て状態を設定する状態設定手段と、
前記状態設定手段により設定された前記割り当て状態に基づいて、前記表示制御手段により前記複数の表示装置の各々に送信され、各表示装置が前記所定データに基づいて自己の表示画面に表示すべき割り当て画像を決定するための割り当て情報を生成する生成手段と、
を備えることを特徴とする表示制御装置。
＜請求項２＞
前記状態設定手段は、前記所定データに基づく表示画像が前記複数の表示画面に割り当てられて表示中に、前記割り当て状態を逐次設定し、
前記生成手段は、前記状態設定手段により逐次設定される前記割り当て状態に基づいて、前記割り当て情報を逐次生成し、
前記表示制御手段は、前記生成手段により生成された前記割り当て情報を前記複数の表示装置の各々に逐次送信する送信手段を含み、前記送信手段により送信される前記割り当て情報に基づいて、前記所定データに基づく表示画像を割り当てて表示させる
ことを特徴とする請求項１に記載の表示制御装置。
＜請求項３＞
前記状態設定手段は、前記複数の表示装置の配置状態の変化又は前記複数の表示装置を見るユーザの視点位置の変化が検出されると、前記割り当て状態を変更して設定することを特徴とする請求項１又は２に記載の表示制御装置。
＜請求項４＞
前記状態設定手段は、前記表示制御手段により前記所定データに基づく一つの所定形状の表示画像が前記複数の表示画面に跨るように分割されて表示される際の当該一つの所定形状の表示画像の分割境界を前記割り当て状態として設定し、
前記生成手段は、前記状態設定手段により設定された前記分割境界を示す情報を前記割り当て情報として生成することを特徴とする請求項１〜３のいずれか一項に記載の表示制御装置。
＜請求項５＞
前記状態設定手段は、前記表示制御手段により前記所定データに基づく複数の所定形状の表示画像が前記複数の表示画面に割り当てられて表示される際の当該複数の所定形状の表示画像の表示内容を前記割り当て状態として設定し、
前記生成手段は、前記状態設定手段により設定された前記表示内容を示す情報を前記割り当て情報として生成することを特徴とする請求項１〜３のいずれか一項に記載の表示制御装置。
＜請求項６＞
前記複数の表示装置の配置状態に係る第１情報と、前記複数の表示装置を見るユーザの視点位置に係る第２情報とを取得する取得手段を更に備え、
前記状態設定手段は、前記取得手段により取得された前記第１情報に基づいて、前記分割境界を設定するとともに、前記取得手段により取得された前記第２情報に基づいて、設定済みの前記分割境界を変更し、
前記生成手段は、前記状態設定手段により変更された前記分割境界に基づいて、前記複数の表示装置の各々に表示される分割画像のサイズ及び歪みのうちの少なくとも一方を補正するための補正情報を前記割り当て情報として生成することを特徴とする請求項４に記載の表示制御装置。
＜請求項７＞
前記取得手段は、ユーザの視点位置から前記複数の表示装置の全体を撮影して全体画像を取得し、取得された前記全体画像内における前記複数の表示装置の各々に対応する画像部分をそれぞれ特定して、前記第１情報及び前記第２情報を取得することを特徴とする請求項６に記載の表示制御装置。
＜請求項８＞
前記状態設定手段は、前記全体画像内における前記複数の表示装置の各々に対応する画像部分の位置に基づいて、前記分割境界を設定するとともに、前記全体画像内における前記複数の表示装置の各々に対応する画像部分の位置、サイズ及び形状のうち、少なくともいずれか一に基づいて、設定済みの前記分割境界を変更することを特徴とする請求項７に記載の表示制御装置。
＜請求項９＞
前記生成手段は、前記全体画像内における前記複数の表示装置の各々に対応する画像部分の位置、サイズ及び歪みのうち、少なくともいずれか一に基づいて、前記補正情報を生成することを特徴とする請求項７に記載の表示制御装置。
＜請求項１０＞
前記取得手段は、予め前記複数の表示装置の前記複数の表示画面に当該表示装置の位置計測に用いられる計測用画像が表示された状態で前記全体画像を撮影して取得することを特徴とする請求項７〜９のいずれか一項に記載の表示制御装置。
＜請求項１１＞
所定データを記録する互いに独立した複数の表示装置と、表示制御装置とを備える表示制御システムであって、
前記表示制御装置は、
前記複数の表示装置で構成される複数の表示画面に対して、前記所定データに基づく表示画像を割り当てて表示させる表示制御手段と、
前記所定データに基づく表示画像の前記複数の表示画面に対する割り当て状態を設定する状態設定手段と、
前記状態設定手段により設定された前記割り当て状態に基づいて、前記表示制御手段により前記複数の表示装置の各々に送信され、各表示装置が前記所定データに基づいて自己の表示画面に表示すべき表示画像を決定するための割り当て情報をそれぞれ生成する生成手段と、
を備え、
前記複数の表示装置の各々は、
前記表示制御装置から送信された前記割り当て情報を受信して、自己の表示画面に前記割り当て画像を表示する
ことを特徴とする表示制御システム。
＜請求項１２＞
表示制御装置のコンピュータを、
所定データを記録する互いに独立した複数の表示装置で構成される複数の表示画面に対して、前記所定データに基づく表示画像を割り当てて表示させる表示制御手段、
前記所定データに基づく表示画像の前記複数の表示画面に対する割り当て状態を設定する状態設定手段、
前記状態設定手段により設定された前記割り当て状態に基づいて、前記表示制御手段により前記複数の表示装置の各々に送信され、各表示装置が前記所定データに基づいて自己の表示画面に表示すべき割り当て画像を決定するための割り当て情報を生成する生成手段、
として機能させることを特徴とするプログラム。
【符号の説明】
【００６６】
１００      表示制御システム
１          表示制御装置
１０１      中央制御部
１０３      撮像部
１０４      動作制御部
１０４ａ    情報取得部
１０４ｂ    状態設定部
１０４ｃ    情報生成部
１０４ｄ    表示制御部
１０５      通信制御部
２          表示装置
２０１      中央制御部
２０３      記録部
２０４      通信制御部
２０５      表示部
２０５ａ    表示パネル
Ｄ          表示用データ
Ｇ          表示画像
Ｇａ〜Ｇｉ  分割画像
【図１】
2018097126.tif 000003
【図２】
2018097126.tif 000004
【図３】
2018097126.tif 000005
【図４】
2018097126.tif 000006
【図５】
2018097126.tif 000007
【図６】
2018097126.tif 000008
【図７】
2018097126.tif 000009